(57)【特許請求の範囲】
【請求項１】
被検者眼の眼底を照明する照明光学系と、対物レンズに関して被検者眼の瞳孔と略共役位置に置かれた絞りと、該絞りを介して被検者の眼底を撮影する撮像素子を持つ眼底撮影光学系と、前記対物レンズと前記絞りとの間の光路上に挿脱可能に配置される光路分岐部材と、該光路分岐部材を介して被検者眼の眼底からの赤外反射光を受光する受光光学系と、を有する眼底カメラにおいて、
前記撮像素子による眼底撮影時に、前記光路分岐部材を前記受光光学系の光路から遠ざかる方向であって、かつ、前記撮像素子に結像される眼底からの反射光の光束径が細くなる前記絞り側に回動させて前記光路から退避させる挿脱手段と、を備えることを特徴とする眼底カメラ。
【請求項２】
請求項１の眼底カメラにおいて、前記光路分岐部材は眼底共役位置を外した前記対物レンズと前記絞りとの間の光路上に配置されることを特徴とする眼底カメラ。
【発明の詳細な説明】
【技術分野】
【０００１】
本発明は被検者眼の眼底の観察及び撮影を行うための眼底カメラに関する。
【背景技術】
【０００２】
従来、被検者眼を撮影する眼底カメラとしては、被検者眼との位置合わせを適切に行うために前眼部観察光学系が用意されたものが知られている（特許文献１参照）。この種の眼底カメラのアライメント調整は、対物レンズと穴あきミラーとの間に可動の光路分岐部材が斜設され、この光路分岐部材で反射される前眼部反射光が前眼部観察光学系に導かれる。撮影時には光路分岐部材が跳ね上げられて光路から退避されることにより、眼底撮影用の撮影手段で被検者眼の眼底が撮影される。
【先行技術文献】
【特許文献】
【０００３】
【特許文献１】特開２００７‐２０２７２５号公報
【発明の概要】
【発明が解決しようとする課題】
【０００４】
ところで、撮影時に光路分岐部材が跳ね上げられる際には、光路分岐部材を所定の停止部材（ピン、モルトブレーン）に衝突させて停止させている。しかしながら、光路分岐部材は停止部材に衝突した衝撃で跳ね返ることがあり、このような跳ね返りにより光路分岐部材が眼底の撮影画像に映り込んでしまうことが懸念されている。
【０００５】
本発明は、上記従来技術の問題点に鑑み、より光路分岐部材の退避時における撮影不良の発生を抑制し、信頼度の高い撮影を行うことのできる眼底カメラを提供することを技術課題とする。
【課題を解決するための手段】
【０００６】
上記課題を解決するために、本発明は以下のような構成を備えることを特徴とする。
【０００７】
（１）  被検者眼の眼底を照明する照明光学系と、対物レンズに関して被検者眼の瞳孔と略共役位置に置かれた絞りと、該絞りを介して被検者の眼底を撮影する撮像素子を持つ眼底撮影光学系と、前記対物レンズと前記絞りとの間の光路上に挿脱可能に配置される光路分岐部材と、該光路分岐部材を介して被検者眼の眼底からの赤外反射光を受光する受光光学系と、を有する眼底カメラにおいて、
前記撮像素子による眼底撮影時に、前記光路分岐部材を前記受光光学系の光路から遠ざかる方向であって、かつ、前記撮像素子に結像される眼底からの反射光の光束径が細くなる前記絞り側に回動させて前記光路から退避させる挿脱手段と、を備えることを特徴とする。
【発明の効果】
【０００８】
本発明によれば、眼底カメラにおいて光路分岐部材の退避時における撮影不良の発生を抑制し、信頼度の高い撮影を行うことができる。
【発明を実施するための形態】
【０００９】
以下、本発明に係る実施形態を図面に基づいて説明する。図１は本実施形態に係る眼底カメラの外観構成図である。
【００１０】
眼底カメラは、基台１と、基台１に対して左右方向（Ｘ方向）及び前後（作動距離）方向（Ｚ方向）に移動可能な移動台２と、移動台２に対して３次元方向に移動可能に設けられ後述する光学系を収納する撮影部（装置本体）３と、被検者の顔を支持するために基台１に固設された顔支持ユニット５を備える。撮影部３は、移動台２に設けられたＸＹＺ駆動部６により、被検眼Ｅ（測定眼）に対して左右方向、上下方向（Ｙ方向）及び前後方向に移動される。移動台２は、ジョイスティック４の操作により基台１上をＸＺ方向に移動される。また、回転ノブ４ａを回転操作することにより、ＸＹＺ駆動部６がＹ駆動し撮影部３がＹ方向に移動される。なお、撮影部３の検者側には、前眼部像、眼底観察像、眼底撮影像を表示する表示部であるモニタ８が設けられている。また、モニタ８にはタッチパネル８ａが取り付けられており、タッチパネル８ａの操作により各種条件設定等を入力できるようになっている。モニタ８の周辺には、各種条件設定を行うためのスイッチ部９０が配置されている（図２参照）。スイッチ部９０の詳細な説明は後述する。
【００１１】
また、測定眼が右眼であるか左眼であるかを検出するための左右位置検出手段であるスイッチ９が、移動台２の左右の可動範囲で中間に位置される。スイッチ９には機械的スイッチが使用され、移動台２が左右に移動されるときにスイッチ９が切り換わることによって、測定眼が左眼であるか右眼であるかが判別される。これ以外にも、スイッチ９としてはフォトインタラプタ等の光学センサが使用され、基台１に対する移動台２の左右位置が光学的に検知されるようにしても良い。また、検者がスイッチ部９０に図示を略す左右眼選択スイッチを設け、測定眼が左眼であるか右眼であるかが入力されるようにしても良い。
【００１２】
図２は、撮影部３に収納される光学系及び制御系の概略構成図である。光学系は、照明光学系１０、眼底観察・撮影光学系３０、フォーカス指標投影光学系４０、アライメント指標投影光学系５０、前眼部観察光学系６０、固視標呈示光学系７０から大別構成されている。
【００１３】
＜照明光学系＞  照明光学系１０は、観察照明光学系と撮影照明光学系を有する。撮影照明光学系は、フラッシュランプ等の撮影光源１４、コンデンサレンズ１５、リング状の開口を有するリングスリット１７、リレーレンズ１８、ミラー１９、中心部に黒点を有する黒点板２０、リレーレンズ２１、孔あきミラー２２、対物レンズ２５を有する。また、観察照明光学系は、ハロゲンランプ等の光源１１、波長７５０ｎｍ以上の近赤外光を透過する赤外フィルタ１２、コンデンサレンズ１３、コンデンサレンズ１３とリングスリット１７との間に配置されたダイクロイックミラー１６、リングスリット１７から対物レンズ２５までの光学系を有する。ダイクロイックミラー１６は、赤外光を反射し可視光を透過する特性を持つ。
【００１４】
＜眼底観察・撮影光学系＞  眼底観察・撮影光学系３０は、対物レンズ２５、孔あきミラー２２の開口近傍に位置する撮影絞り３１、光軸方向に移動可能なフォーカシングレンズ３２、結像レンズ３３、眼底撮影時には挿脱機構３９により光路から挿脱可能な跳ね上げミラー３４を備え、撮影光学系と眼底観察光学系は対物レンズ２５と撮影絞り３１から結像レンズ３３までの光学系を共用する。撮影絞り３１は対物レンズ２５に関して被検者眼Ｅの瞳孔と略共役な位置に配置されている。フォーカシングレンズ３２は、モータを備える移動機構４９により光軸方向に移動される。３５は可視域に感度を有する撮影用二次元撮像素子である。跳ね上げミラー３４の反射方向の光路には、赤外光反射、可視光透過の特性を有するダイクロイックミラー３７、リレーレンズ３６、赤外域に感度を有する観察用二次元撮像素子３８が配置されている。
【００１５】
対物レンズ２５と孔あきミラー２２の間には、眼底観察・撮影光学系３０と前眼部観察光学系６０とを分けるための光路分岐部材として、ダイクロイックミラー（波長選択性ミラー）２４が斜設されている。ダイクロイックミラー２４は、アライメント指標投影光学系５０からのアライメント光の波長及び前眼部照明光源５８の波長光（中心波長９４０ｎｍ）を反射し、眼底観察用照明の波長光及びフォーカス指標投影光学系４０の光源波長（中心波長８８０ｎｍ）を含む波長９００ｎｍ以下を透過する特性を有する。
【００１６】
撮影時には、ダイクロイックミラー２４は、挿脱機構６６により回転軸２４ａを中心として前眼部観察光学系６０（光軸Ｌ２）から遠ざかる方向に移動（回動）され、光路外に退避される。挿脱機構６６は、ソレノイドとカム等により構成することができる。なお、本実施形態では回転軸２４ａは、斜設されているダイクロイックミラー２４の前側端部に形成されているが、これに限るものではなく、ミラーが光路外に退避する際に前眼部観察光学系６０から遠ざかる方向に退避することのできる構成であればよい。
【００１７】
また、ダイクロイックミラー２４の退避位置には、退避されるダイクロイックミラー２４と光路外で当接することにより、その回動を停止させると共に、衝突により発生する衝撃音と振動とを吸収するための停止部材２６や、退避確認のためのフォトインタラプタ等からなるセンサ２７が配置されている。
【００１８】
なお、ダイクロイックミラー２４は、対物レンズ２５と穴あきミラー２２までの光軸Ｌ１上で、眼底共役となる位置を避けて配置することが好ましい。これにより、眼底撮影時においてダイクロイックミラー２４の退避動作が被検者眼に確認され難くなくなるので、より被検者の瞬きの誘発を抑制できる。
【００１９】
また、図２において、ダイクロイックミラー２４の挿入により生じる光軸ずれを補正するための図示なき補正部材を設けるようにしても良い。この場合には、回転軸２４ａを中心としてダイクロイックミラー２４と補正部材とが一体で回動され、ミラーダウンにより共に光路外に退避される。
【００２０】
観察用の光源１１を発した光束は、赤外フィルタ１２により赤外光束とされ、コンデンサレンズ１３、ダイクロイックミラー１６により反射されてリングスリット１７を照明する。リングスリット１７を透過した光は、リレーレンズ１８、ミラー１９、黒点板２０、リレーレンズ２１を経て孔あきミラー２２に達する。孔あきミラー２２で反射された光は、ダイクロイックミラー２４を透過し、対物レンズ２５により被検者眼Ｅの瞳孔付近で一旦収束した後、拡散して被検者眼Ｅの眼底部を照明する。眼底からの反射光は、対物レンズ２５、ダイクロイックミラー２４、孔あきミラー２２の開口部、撮影絞り３１、フォーカシングレンズ３２、結像レンズ３３、跳ね上げミラー３４、ダイクロイックミラー３７、リレーレンズ３６を介して撮像素子３８に結像し、これにより眼底の観察像が得られる。
【００２１】
眼底の撮影時には、ダイクロイックミラー２４は光路Ｌ１から退避され、撮影光源１４の発光により眼底が可視光により照明され、眼底からの反射光は対物レンズ２５、孔あきミラー２２の開口部、撮影絞り３１、フォーカシングレンズ３２、結像レンズ３３、跳ね上げミラー３４を経て二次元撮像素子３５に結像する。
【００２２】
＜フォーカス指標投影光学系＞  フォーカス指標投影光学系４０は、赤外光源４１、スリット指標板４２、このスリット指標板４２に取り付けられた２つの偏角プリズム４３、投影レンズ４７、照明光学系１０の光路に斜設されたスポットミラー４４を備える。スポットミラー４４はレバー４５の先端に固着されていて、通常は光軸に斜設されるが、撮影時にはロータリソレノイド４６の軸の回転で、光路外に退避させられる。なお、スポットミラー４４は被検者眼Ｅの眼底と共役な位置に配置される。光源４１、スリット指標板４２、偏角プリズム４３、投影レンズ４７、スポットミラー４４及びレバー４５は、フォーカシングレンズ３２と連動して移動機構４９により光軸方向に移動される。また、フォーカス指標投影光学系４０のスリット指標板４２の光束は、偏角プリズム４３及び投影レンズ４７を介してスポットミラー４４により反射された後、リレーレンズ２１、孔あきミラー２２、ダイクロイックミラー２４、対物レンズ２５を経て被検者眼Ｅの眼底に投影される。眼底のフォーカスが合っていないとき、スリット指標板４２の指標像は分離され、フォーカスが合っているときに一致して投影される。そして、被検者眼Ｅの眼底上に投影されたフォーカス指標像は、眼底観察用の撮像素子３８によって眼底像と共に撮像される。
【００２３】
＜アライメント指標投影光学系＞  アライメント用指標光束を投影するアライメント指標投影光学系５０は、撮影光軸Ｌ１を中心に左右方向に対称に配置された赤外光源５１とコリメーティングレンズ５２を持つ第１指標投影光学系と、前述の第１指標投影光学系より狭い角度に配置された光軸を持ち光軸Ｌ１が通る垂直平面を挟んで左右対称に配置された第２指標投影光学系であって２つの赤外光源５３を持つ第２指標投影光学系と、を備える。第１指標投影光学系は被検者眼Ｅの角膜に無限遠の指標を投影し、第２指標投影光学系は被検者眼Ｅの角膜に有限遠の指標を投影する構成となっている。なお、第２指標投影光学系は、投影される指標光束が被検者眼の瞳孔にかからないように、第１指標投影光学系によりも下側に設けられている。
【００２４】
＜前眼部観察光学系＞  前眼部観察光学系６０は、ダイクロイックミラー２４の反射側の光軸Ｌ２上に、フィールドレンズ６１、ミラー６２、絞り６３、リレーレンズ６４、赤外域の感度を持つ二次元撮像素子６５を備える。また、二次元撮像素子６５はアライメント指標検出用の撮像手段を兼ね、中心波長９４０ｎｍの赤外光を発する前眼部照明光源５８により照明された前眼部とアライメント指標が撮像される。前眼部照明光源５８により照明された前眼部は、対物レンズ２５、ダイクロイックミラー２４及びフィールドレンズ６１からリレーレンズ６４の光学系を介して二次元撮像素子６５により受光される。また、アライメント指標投影光学系５０が持つ光源の点灯により、前眼部に投影されたアライメント指標が二次元撮像素子６５に受光される。二次元撮像素子６５の出力は画像処理手段（画像生成手段、表示制御手段を兼ねる）である制御部８０に入力され、モニタ８には二次元撮像素子６５に撮像された前眼部像Ｆが表示される（図３参照）。なお、前眼部観察光学系６０は、被検者眼Ｅに対する装置本体のアライメント状態を検出する役割を兼用する。
【００２５】
＜固視標呈示光学系＞  被検者眼Ｅの視線を誘導するための固視標呈示光学系７０は、赤色の光源７４、開口穴が形成された複数の遮光板７１を持つディスク板７２、リレーレンズ７５を備え、ダイクロイックミラー３７を介して跳ね上げミラー３４から対物レンズ２５までの観察光学系３０の光路を共用する。複数の遮光板７１には、それぞれ異なる位置に開口穴が形成されている。ディスク板７２はパルスモータ７３により回転駆動され、各遮光板７１が選択的に光源７４の前に配置されることにより、固視標の呈示位置が変更される。各遮光板７１を光源７４の前に配置させるためのパルス数は、予め制御部８０に記憶されている。固視標からの光束は、リレーレンズ７５、ダイクロイックミラー３７、跳ね上げミラー３４、結像レンズ３３、フォーカシングレンズ３２、孔あきミラー２２、ダイクロイックミラー２４、対物レンズ２５を通過して被検者眼Ｅ眼底に集光し、被検者は開口からの光束を固視標として視認する。
【００２６】
＜制御系＞  前眼部観察光学系６０の二次元撮像素子６５、眼底観察・撮影光学系３０の二次元撮像素子３８、３５の出力は制御部８０に接続されている。表示制御手段である制御部８０は二次元撮像素子６５で撮像された前眼部像又は二次元撮像素子３８で撮影された眼底観察像をモニタ８に表示させる。制御部８０は、観察像（前眼部像又は眼底観察像）がモニタ８に表示されている状態で、二次元撮像素子３５で得られた撮影画像を観察像の表示範囲よりも小さな表示領域にサムネイル画像として表示させる。表示領域の詳細な説明は後述する。また、制御部８０は二次元撮像素子６５で撮像された前眼部画像からアライメント指標を検出処理し、二次元撮像素子３８で撮像された眼底画像からフォーカス指標を検出処理する。
【００２７】
また、制御部８０には入力手段として、各種のスイッチを持つスイッチ部９０と、タッチパネル８ａとが接続されている。  スイッチ部９０には、初期状態で眼底の中央位置を撮影する眼底撮影モードと、被検者眼の前眼部を撮影する前眼部撮影モード等の各種撮影モードを設定するための撮影モードスイッチ９１と、眼底撮影モードが設定された状態で被検者眼に対する固視標の呈示パターンを設定するための固視位置入力手段である固視標呈示スイッチ９２、光源１４のからの撮影光量を増減させる光量調節手段である光量調節スイッチ９３等、各種測定情報を設定するためのスイッチが配置されている。
【００２８】
また、制御部８０には記憶手段としてのメモリ８５が接続されている。メモリ８５には二次元撮像素子３５で撮影された撮影画像と共に、入力手段であるスイッチ部９０又はタッチパネル８ａの操作で予め入力された被検者のＩＤ情報と、撮影眼に関する左右眼情報、固視標の呈示位置の情報、光源１４の撮影光量の情報、撮影日時等の測定情報とが関連付けられて複数記憶される。制御部８０はＩＤ情報に基づいて、メモリ８５に記憶されている撮影画像からＩＤ情報に対応する撮影画像を選択的に読み出して、サムネイル画像としてモニタ８に表示させる。又は、制御部８０はモニタ８に表示されている被検者眼（観察中の被検者眼）に関するＩＤ情報と測定情報とが合致する撮影画像をメモリ８５から選択的に呼び出して、サムネイル画像としてモニタ８に表示させる。
他にも、制御部８０には、ＸＹＺ駆動部６、移動機構４９、挿脱機構３９、挿脱機構６６、パルスモータ７３、回転ノブ４ａ、撮影スイッチ４ｂ、各光源等が接続されている。
【００２９】
次に、以上のような構成を備える眼底カメラの動作を説明する。ここでは、右眼の眼底の中央位置（後極部中心）を撮影する場合を説明する。
検者は測定に際して被検者の顔を顔支持ユニット５により支持し、被検者の右眼を撮影するため、ジョイスティック４の操作で撮影部３を被検者に対して右側に移動させる。このとき、撮影部３がスイッチ９を越えて右側に移動されることによって、スイッチ９から入力信号が入力され、制御部８０は測定眼が右眼であると判定する。
【００３０】
次に検者はスイッチ部９０の操作で測定情報を入力する。撮影モードスイッチ９１により眼底撮影モードが選択された初期状態では、固視標の呈示位置は自動的に中央位置に設定される。制御部８０は、中央位置に開口穴を持つ遮光板７１を光源７４の前に配置させ、固視標の呈示位置を右眼の略中央位置となるように設定する。なお、測定情報の入力はタッチパネル８ａ上のアイコン１１０の選択により表示される図示を略す入力画面の操作で行う事もできる。
【００３１】
次に、検者は入力手段により被検者のＩＤ情報（識別情報）を入力する。入力手段としてはタッチパネル８の他、外部接続されたテンキーによるＩＤ情報入力、バーコードリーダでＩＤ情報が記録されたバーコードを読み込む方法などがある。
【００３２】
画像生成手段である制御部８０は、入力されたＩＤ情報とメモリ８５に予め記憶されている撮影画像に付されたＩＤ情報とを照合する。入力されたＩＤ情報と同一のＩＤ情報を有する撮影画像がある場合は、制御部８０は、該当する撮影画像の縮小画像（履歴サムネイル画像）生成し、前眼部像とともにモニタ８上に表示させる（図３参照）。
【００３３】
なお、撮影画像は画像圧縮処理が施されて、所定の形式（例えば、ＪＰＥＧフォーマット）でメモリ８５に記録されている。制御部８０はこの撮影画像の画素情報を縮小させて解像度の小さな（低い）履歴サムネイル画像を生成している。
【００３４】
固視標呈示光学系７０で誘導された被検者眼が二次元撮像素子６５で撮影されると、前眼部像Ｆがモニタ８に表示される。そして、指標像Ｍａ〜Ｍｄが検出されると、自動アライメントが可能になる。制御部８０は、指標像Ｍａ，Ｍｂの中間位置を角膜頂点位置とし、予め撮像素子６５上に設定されているアライメント基準位置に対する指標像Ｍａ，Ｍｂによって求められる角膜頂点位置のアライメント状態（変位量）を検出する。そして制御部８０は、検出結果に基づいて撮影部３が所定のアライメント許容範囲内に位置するようにＸＹ方向のアライメントを行う。また、制御部８０は無限遠光による指標像Ｍａ，Ｍｂの間隔と、有限遠光による指標像Ｍｃ，Ｍｄの間隔とを比較することにより、Ｚ方向のアライメント状態を検出して撮影部３のＺ方向のアライメントを行う。
【００３５】
また、図３に示すように、モニタ８の中央（画面中央）には、制御部８０によってレチクルＭと撮影可能な最小瞳孔径を表す円形マークＰとが電子的に形成されている。また、モニタ８上の左側にはサムネイル画像を表示するための表示領域１００が用意されている（サムネイル画像の表示領域１００は観察像の表示範囲よりも小さい）。表示領域１００は、モニタ８に表示されている観察像の一部分に重畳されていてもよいし、表示領域１００と観察像の表示領域とが画面上、区分けされていてもよい。表示制御手段である制御部８０は、現在観察中の被検者のＩＤ情報と測定情報（例えば、左右眼情報等）に該当する過去の撮影画像をメモリ８５から呼び出し、呼び出した撮影画像に対応する履歴サムネイル画像を表示領域１００に並べて表示させる。なお、本実施形態では５つの履歴サムネイル画像１０１〜１０５を表示させるものとしている。（該当する眼底画像が無い場合には、履歴サムネイル画像は表示されない）。
該当する撮影画像が表示可能数よりも多く抽出された場合は、測定情報として記録されている撮影日時に基づき、撮影日時が新しい順から履歴サムネイル画像が表示されるようにする。
【００３６】
なお、ここでは、表示領域１００がモニタ８上の左側に用意されているが、表示領域１００は、被検者眼Ｅと装置本体３とのアライメントがされた状態で、二次元撮像素子６５で撮影された被検者眼の瞼及び瞳孔（輝点）に重ならないように、モニタ８の画面上の左右または上下側の位置に用意されれば良い。
【００３７】
なお、表示領域１００はモニタ８の全体の表示領域の１／２以下であることが好ましい。これにより、検者は観察画像を確認しやすい状態で、サムネイル画像の確認ができる。また、表示領域１００には、比較のために履歴サムネイル画像と後述する撮影サムネイル画像の少なくとも２つのサムネイル画像が表示されれば良く、その為、サムネイル画像のサイズはモニタ８の全体の表示領域の１／４以下のサイズであることが好ましい。
【００３８】
ＸＹＺ方向のアライメント状態が所定のアライメント完了の条件を満足していれば、制御部８０はモニタ８の表示を前眼部像から眼底像に自動的に切換える。モニタ８の前眼部像と眼底画像との表示の切換えは、スイッチ部９０のスイッチ操作でも可能である。
【００３９】
図４（ａ）に、二次元撮像素子３８で撮像された眼底像（眼底の観察像）がモニタ８に表示された例を示す。眼底照明光学系１０の光路に挿入されたレバー４５によって観察光束が遮光されることによって撮像素子３８上に遮光領域１４５が表示され、遮光領域の先端（光軸上）に、眼底に投影されたフォーカス指標像Ｓ１，Ｓ２が形成される。なお、現在の固視標の呈示位置を検者に対して報知するためのグラフィック表示やＬＥＤ点灯を設けるようにしてもよい。検者はこの眼底画像を見ながら眼底像のフレア等を確認し、所望する状態で撮影できるように、さらにジョイスティック４の操作にてアライメント状態を微調整する。眼底像が表示されているモニタ８上の左側には、前述同様に表示領域１００に履歴サムネイル１０１〜１０５が表示される。
【００４０】
被検者眼Ｅと撮影部３とのアライメントが完了すると、制御部８０は二次元撮像素子３８で撮像された眼底画像からフォーカス指標Ｓ１、Ｓ２を検出し、検出結果に基づいてフォーカシングレンズ３２、及びフォーカス指標投影光学系を光軸方向に移動させフォーカス調整を行う。眼底撮影は、アライメント、及びフォーカスの調整の完了後、撮影スイッチ４ｂからのトリガ信号、または自動的に行われる。
【００４１】
制御部８０は、撮影光源１４を発光させて眼底を可視光により照明する。また、制御部８０は挿脱機構６６の駆動により、回転軸２４ａを中心として、前眼部観察光学系６０から遠ざかるようにダイクロイックミラー２４を回動させる。
【００４２】
ところで、眼底からの反射光による光束は、対物レンズ２５側から絞り３１に向けて収束される。本実施形態ではダイクロイックミラー２４は、前側端部に回転軸２４ａを持ち絞り３１側（後側）を振る構成としているため、ダイクロイックミラー２４を光路（反射光の光束）から退避させた際に、ダイクロイックミラーの跳ね返りが生じていても反射光に重なることがほとんどない。このため、ミラーの跳ね返りを考慮する必要なく撮影用のフラッシュ光を照射することができ、ミラーの写りこみを抑制しつつ、タイミングよく撮影を行うことが可能となる。なお、跳ね上げミラー３４付近における反射光の光束径は、ダイクロイックミラー２４付近の反射光の光束径に比べ小さくなっているため、退避方向によらず跳ね返りによる写りこみは生じ難い。
【００４３】
挿脱機構６６の駆動によりダイクロイックミラー２４が、挿脱機構３９の駆動により跳ね上げミラー３４がそれぞれ瞬間的に光軸Ｌ１上から退避され、センサ２７にてダイクロイックミラー２４の退避、及び図示なきセンサにて跳ね上げミラー３４の退避が検知されると、制御部８０は撮影光源１４を点灯させ、フラッシュ光を被検眼Ｅに向けて照射させる。眼底からの反射光は、対物レンズ２５、孔あきミラー２２の開口部、撮影絞り３１、フォーカシングレンズ３２、結像レンズ３３を経て二次元撮像素子３５に結像する。撮影終了後はダイクロイックミラー２４及び撥ね上げミラー３４は光軸Ｌ１上に戻される。
【００４４】
制御部８０は、二次元撮像素子３５の撮影により得られた撮影画像を縮小させて解像度が低い縮小画像（以下、撮影サムネイル画像１２０を生成し、表示領域１００に表示させる。これにより、表示領域１００に表示されていた履歴サムネイル画像は表示位置が１つずつ移動される。このとき、履歴サムネイル画像１０５は表示領域１００上に表示されなくなる。そこで、表示領域の表示位置を上下にスクロールさせる図示を略すアイコンを設けるようにしても良い。
【００４５】
また、制御部８０は撮影サムネイル画像１２０を生成すると同時に、撮影画像に画像圧縮処理を施し、タッチパネル８ａ又はスイッチ部９０により設定された測定情報と共に、メモリ８５に記憶させる。
【００４６】
生成された撮影サムネイル画像１２０の容量が小さいので、撮影の直後に表示領域１００に遅滞なく表示される。また、撮影サムネイル画像１２０は、撮影の失敗、フレアの有無、眼底での撮影位置が十分に分かる程度のサイズで表示される。その為、検者は撮影サムネイル画像１２０と履歴サムネイル画像との比較から、撮影画像の可否を直ぐに判断することができる。
【００４７】
撮影の失敗等で撮影画像を消去する場合は、選択手段であるタッチパネル８ａ（又はスイッチ部９０）の所定の操作で、表示領域１００に表示された複数のサムネイル画像のうち少なくとも一つが選択される。消去手段である制御部８０は、選択されたサムネイル画像に対応する撮影画像をメモリ８５から消去する。また、撮影によりモニタ８の表示が（眼底観察像から眼底撮影像へと）切換らないため、検者は直ぐに再撮影など次の動作に移ることができる。
【００４８】
以上のように、モニタ８上に眼底観察像（又は前眼部像）と撮影サムネイル画像１２０が表示されることで、検者は直ぐに撮影画像の可否を確認できるようになり、次の動作にスムーズに移ることができるようになる。
【００４９】
上記では、ＩＤ情報が一致する履歴サムネイル画像が表示領域１００に表示される場合を説明したが、ＩＤ情報と測定情報（左右眼情報，固視標の表示位置情報、光源１４の輝度レベル情報等）の組合せで、撮影画像に基づく履歴サムネイル画像が抽出されると便利である。
【００５０】
例えば、左右眼情報を利用する場合は、撮影部３が被検者眼に対して左右に移動され、スイッチ９から左右眼情報が入力されると、制御部８０はＩＤ情報と左右眼情報の両方が一致する撮影画像をメモリ８５から抽出して、該当する履歴サムネイル画像を表示領域１００に表示させる。つまり、図４（ｂ）に示すように、スイッチ９からの入力信号が左眼のときは左眼の履歴サムネイル画像のみを表示領域１００に表示させ、右眼のときは右眼の履歴サムネイル画像のみを表示領域１００に表示させる。
【００５１】
又は、図４（ｃ）に示すように、制御部８０はＩＤ情報が一致する履歴サムネイル画像を抽出して表示領域１００に表示させた状態で、スイッチ９からの左右眼情報に連動させて、左右眼情報と一致する履歴サムネイル画像の表示位置の枠色を変える。
このように、測定情報を利用して履歴サムネイル画像を表示させることで、検者はより簡単に適切な撮影画像が得られたかの判断をできるようになる。
【００５２】
光源１４の輝度レベル情報を利用する場合は、制御部８０はＩＤ情報と光量調節スイッチ９３の操作による光源１４の輝度レベル情報の両方が一致する撮影画像をメモリ８５から抽出して、履歴サムネイル画像を表示領域１００に表示させる。このようにすると、検者は過去の撮影画像の輝度レベルに簡単に合わせることができるようになる。
【００５３】
また、上記では、表示領域１００に５つのサムネイル画像が表示される場合を示したが、表示領域１００に用意されるサムネイル画像の設定は変更可能であると都合が良い。例えば、タッチパネル８ａ又はスイッチ部９０に用意された表示領域変更手段の操作により表示領域１００に表示されるサムネイル画像の数又はサイズを変更可能にする。このようにすると、検者の使い勝手が良くなる。
【００５４】
また、表示領域１００に表示された撮影（履歴）サムネイル画像を利用して、撮影画像の単独表示、２画面表示をすることもできる。例えば、タッチパネル８ａ（スイッチ部９０）の操作によりモニタ８の表示を単独表示又は２画面表示に設定しておく。眼底撮影がされて表示領域１００に撮影サムネイル画像１２０が表示されると、検者はその撮影サムネイル画像１２０を確認して拡大表示するかを判断する。
【００５５】
単独表示が設定されている場合において、撮影サムネイル画像１２０がタッチパネル８ａ（又はスイッチ部９０）により選択されると、メモリ８５から該当する撮影画像が呼び出されてモニタ８に拡大表示される。図５（ａ）に単独表示の例を示す。
【００５６】
２画面表示が設定されている場合は、検者は比較したい２つの撮影（履歴）サムネイル画像をタッチパネル８ａの操作で選択する。制御部８０は選択されたサムネイル画像の撮影画像を呼び出して、モニタ８の左側と右側とに分けて撮影画像を拡大表示させる。図５（ｂ）は２画面表示の例である。なお２画面表示では、撮影（履歴）サムネイル画像に重ねて、撮影日時などの測定情報が表示されると、検者が被検者眼の経過観察をする上で便利である。
【００５７】
このように撮影（履歴）サムネイル画像を利用して、簡単に撮影画像の確認又は複数の撮影画像の比較等が出来るようになる。
【００５８】
また、上記では眼底撮影モードで眼底の中央を撮影する場合を説明したが、眼底撮影モードが設定された状態で固視灯呈示スイッチ９２により固視標の呈示パターン（呈示位置、呈示箇所の数）を設定することで、眼底の周辺（眼底の異なる位置）での撮影ができる。周辺撮影では、固視標呈示スイッチ９２で設定された固視標の呈示位置（呈示箇所の数）に合わせて、表示領域１００に表示されるサムネイル画像の数が設定されるようにしても良い。固視灯の呈示箇所の数と表示位置の数とを一致させることで、周辺撮影時に撮影のし忘れが防止される。また、撮影箇所を一目で把握できるようになる。
【００５９】
また、周辺撮影において、ＩＤ情報と固視標の呈示位置情報とが一致する撮影画像データがある場合には、該当する履歴サムネイル画像が表示位置に表示されると良い。このようにすると、検者は固視灯の呈示位置が適切であるかの確認ができるようになる。
【００６０】
また、撮影モードスイッチ９１により前眼部撮影モードに設定された場合には、制御部８０は表示領域１００にメモリ８５に記憶されている被検者眼の前眼部像の撮影（履歴）サムネイル画像を表示させる。これにより、前眼部像の撮影をする場合にも履歴サムネイル画像との比較により前眼部像が適切に撮影されたかの確認ができるようになる。
【００６１】
なお、前眼部撮影モードが選択されると、制御部８０は、補正レンズ５５を光軸Ｌ１上に配置させる。補正レンズ５５としては眼底観察時に眼底にある焦点を被検者眼Ｅの角膜上に位置させるパワーを有する凸レンズが使用され、これにより眼底観察・撮影光学系３０を利用して、前眼部撮影が行われる。
【００６２】
以上説明したように、本発明によれば、観察像（前眼部像、眼底像など）と同一の画面上に撮影画像に基づき生成されたサムネイル画像が表示されることで、撮影画像を直ぐに確認でき、撮影画像の管理も容易となる。そして、一連の撮影動作を円滑に行う事ができるようになり、使い勝手の良い装置を提供できることが可能になる。
【００６３】
また、以上のような構成は、撮影時に、観察光学系（前眼部観察光学系又は眼底観察光学系）と撮影光学系との光路を区分けする眼科撮影装置に適用する事が出来る。
【図面の簡単な説明】
【００６４】
【図１】眼底カメラの外観構成図である。
【図２】光学系及び制御系の概略構成図である。
【図３】モニタに表示された前眼部像及びサムネイル画像の例である。
【図４】モニタに表示された眼底像及びサムネイル画像の例である。
【図５】サムネイル画像の表示パターンについての説明図である。
【符号の説明】
【００６５】
８  モニタ
８ａ  タッチパネル
９  スイッチ
１０  照明光学系
１１、１４  光源
２４  ダイクロイックミラー
２５  対物レンズ
２６  停止部材
２７  センサ
３０  眼底観察・撮影光学系
３１  絞り
３５  二次元撮像素子
５０  アライメント指標投影光学系
６０  前眼部観察光学系
６６  挿脱機構
７０  固視標呈示光学系
８０  制御部
８５  メモリ
９０  スイッチ部
【図１】
0005587480.tif 000002
【図２】
0005587480.tif 000003
【図３】
0005587480.tif 000004
【図４】
0005587480.tif 000005
【図５】
0005587480.tif 000006